(57)【要約】【課題】ジャケットレス構造のコーティング装置の回転ドラム、特に、外周面全周を通気部とした回転ドラム内面へのコーティング基材物質の付着を防止する。【解決手段】中空の回転ドラム３を外側ケーシング７内に回転可能に配置する。回転ドラム３の外周面には、周方向に沿って、コーティング処理に際しドラム内外を通気可能な通気部６を形成する。通気部６は、回転ドラム３の外周面に全周に亘って設けられる。通気部６には、中空状に形成され内部に冷風が流通する中空パイプ１６を所定間隔にて配置する。中空パイプ１６の間に形成される間隙により、回転ドラム３の内外を連通させる連通部が形成される。コーティング処理中は、適宜、中空パイプ１６に冷水を供給して回転ドラム３を冷却し、ドラム内面と被処理物との間に温度差を設け、コーティング基材物質の付着を抑制する。【選択図】図１
2008253910.tif 000002
【特許請求の範囲】
【請求項１】
回転軸を中心に回転可能に配置された中空の処理容器と、
前記処理容器の外周面に周方向に沿って設けられ、コーティング処理に際し、該処理容器の内部と外部を通気可能な通気部とを備えてなるコーティング装置であって、
前記通気部は、中空状に形成され内部に温調媒体が流通可能な温調管と、前記温調管の間に形成され前記処理容器の内部と外部を連通させる連通部とを有することを特徴とするコーティング装置。
【請求項２】
請求項１記載のコーティング装置において、前記温調管は、前記処理容器外周面の全周に亘って配置されることを特徴とするコーティング装置。
【請求項３】
請求項１又は２記載のコーティング装置において、前記コーティング装置は、給排気路に接続され前記処理容器外側に該処理容器を取り囲むように配置されたジャケットを有さないジャケットレス構造であることを特徴とするコーティング装置。
【発明の詳細な説明】
【技術分野】
【０００１】
本発明は、ドラム状の回転容器を用いたコーティング装置に関し、特に、錠剤や食品等のコーティング処理に使用されるジャケットレス構造の通気式パンコーティング装置に関する。
【背景技術】
【０００２】
従来より、医薬品や食品等の製造装置として、回転ドラムを用いたコーティング装置が知られている。例えば、特許文献１には、多角形断面（ここでは、八角形）のコーティングパンと呼ばれる回転ドラムを備えた装置が記載されている。図１１は、このような従来のコーティング装置100の構成を示す説明図である。コーティング装置100は、回転ドラムの外側に通気ジャケットのない所謂ジャケットレス構造の装置となっている。図１１に示すように、回転ドラム101は、水平軸線を中心に矢示Ｒ方向に回転し、外側ケーシング102内に収容されている。回転ドラム101内に投入された粉粒体はドラムの回転に伴って転動し、その表面には図示しないスプレー装置からコーティング液が噴霧される。その際、回転ドラム101内には、給排気ダクト103,104から適宜、熱風や冷風が供給・排気され、コーティング層の形成や乾燥が促進される。
【０００３】
コーティング装置100では、コーティング処理中は、被処理物に対し、例えば給排気ダクト103から温風や冷風を適宜送給する。回転ドラム101の主胴部105には、多孔板（パンチング）からなる通気部106が８面全面に形成されており、被処理物層を抜けたエアはこの通気部106から給排気ダクト104に流出する。従って、給排気ダクト103から回転ドラム101内に供給されたエアは、被処理物層を通り、通気部106を介して、回転ドラム101の外周に配された給排気ダクト104へと排出される。このように、コーティング装置100では、給排気ダクト103,104から給排気される乾燥エアにより、コーティング基材が被処理物表面にて蒸発乾固し、コーティング層が形成される。
【特許文献１】特公平7-63608号公報
【特許文献２】特開平6-63376号公報
【特許文献３】特開平6-23258号公報
【特許文献４】特公昭50-38713号公報
【特許文献５】特願2006-66558号
【発明の開示】
【発明が解決しようとする課題】
【０００４】
しかしながら、このようなコーティング装置では、被処理物層を通過した乾燥エアが通気部106を介して排気されるため、コーティング処理中に回転ドラム101の温度が上昇（もしくは降下）し、被処理物と通気部106がほぼ同等の温度となる。このため、回転ドラム101の内面にコーティング基材物質が固化して付着するおそれがあるという問題がある。例えば、糖衣コーティング処理の場合、回転ドラム101が乾燥エアによって暖められ、糖衣液の基材物質（白糖）がドラム内面、特に通気部106の部位に固化・付着し易くなる。また、チョコレートコーティング処理の場合には、給排気ダクト103から冷風が供給されるが、前述同様、被処理物と通気部106がほぼ同等の温度となるため、チョコレートがドラム内面に固化・付着し易くなる。
【０００５】
コーティング処理中にこのような固化物質がドラム内面に付着すると、それが剥離して製品に付着した場合、ボッチや突起といった不良品の原因となる。そこで、実際のコーティング処理では、ドラム内面等の付着物が多くなった時点で回転ドラムを止め、付着したカスをドラム外へ排出している。すなわち、従来の装置では、不良品発生防止のため、処理工程中に回転ドラム内部を適宜清掃する必要がある。従って、その分、生産効率が低下し工程時間が長くなると共に、洗浄時においても、付着物が多いため洗浄時間が長くなるという問題があった。
【０００６】
本発明の目的は、ジャケットレス構造のコーティング装置の回転ドラム、特に、外周面全周を通気部とした回転ドラム内面へのコーティング基材物質の付着を防止することにある。
【課題を解決するための手段】
【０００７】
本発明のコーティング装置は、回転軸を中心に回転可能に配置された中空の処理容器と、前記処理容器の外周面に周方向に沿って設けられ、コーティング処理に際し、該処理容器の内部と外部を通気可能な通気部とを備えてなるコーティング装置であって、前記通気部は、中空状に形成され内部に温調媒体が流通可能な温調管と、前記温調管の間に形成され前記処理容器の内部と外部を連通させる連通部とを有することを特徴とする。
【０００８】
本発明にあっては、コーティング装置の処理容器外周面に通気部を設けると共に、この通気部に、温調媒体が流通する温調管を間隔をあけて配置し、温調管の間に形成される間隙によって処理容器内外を連通させる連通部を形成したので、コーティング処理に際し、温調管に温調媒体が流通させることにより、通気を行いつつ、処理容器、特に通気部の温度調節を行う。これにより、コーティング処理中、処理容器の温度を適宜調整し、処理容器内面と被処理物との間に温度差を生じさせ、処理容器内面、特に通気部へのコーティング基材物質の付着を抑制する。
【０００９】
前記コーティング装置において、前記温調管を、前記処理容器外周面の全周に亘って配置しても良い。また、前記コーティング装置が、給排気路に接続され前記処理容器外側に該処理容器を取り囲むように配置されたジャケットを有さないジャケットレス構造であっても良い。
【発明の効果】
【００１０】
本発明のコーティング装置によれば、回転軸を中心に回転可能に配置された中空の処理容器と、処理容器の外周面に周方向に沿って設けられ、コーティング処理に際し、処理容器の内部と外部を通気可能な通気部とを備えてなるコーティング装置にて、前記通気部に、中空状に形成され内部に温調媒体が流通可能な温調管と、温調管の間に設けられた間隙によって形成され処理容器の内部と外部を連通させる連通部とを設けたので、コーティング処理に際し、温調管に温調媒体が流通させることにより、通気を行いつつ、処理容器、特に通気部の温度調節を行うことが可能となる。これにより、コーティング処理中、処理容器内面と被処理物との間に温度差を生じさせることができ、処理容器内面、特に通気部へのコーティング基材物質の付着を抑えることが可能となる。
【発明を実施するための最良の形態】
【００１１】
以下、本発明の実施例を図面に基づいて詳細に説明する。
【実施例１】
【００１２】
図１は、本発明の実施例１であるコーティング装置を側面方向から見た場合の構成を示す説明図、図２は、図１のコーティング装置を背面方向から見た場合の構成を示す説明図である。図１に示したコーティング装置１は、一般にパンコーティング装置と呼ばれる装置であり、回転ドラムの回転とそれを通過する処理気体及びコーティング用物質により、被処理物の造粒、コーティング、乾燥、混合等の所望の処理を行う。本実施例では、コーティング装置１として、例えば錠剤や菓子等の被処理物２に対して、白糖を水に溶解したシロップを主体に構成した糖衣液等をコーティング処理する装置を例にとって本発明の構成を説明する。
【００１３】
コーティング装置１には、被処理物２を収容する横型ドラム状の処理容器である回転ドラム（コーティングパン）３が設けられている。回転ドラム３は、多角筒形または円筒形の横断面形状を有する中空の主胴部４と、この主胴部４の軸方向両端側に設けられた端壁部５とから構成されており、水平軸線Ｏを中心に回転可能に設置されている。主胴部４の全周には、温風や冷風等の処理気体が流通する通気部６が設けられている。図１のコーティング装置１では、主胴部４の横断面が八角形となっており、通気部６は主胴部４の８面全てに設けられている。
【００１４】
回転ドラム３は外側ケーシング７内に収容されている。外側ケーシング７は密封式の箱状外枠体であり、ケーシング内と外部とを連通させる給気部８と排気部９が設けられている。回転ドラム３は、外側ケーシング７内に回転自在に配置されており、モータ１１により、図２の矢示Ｒ方向に回転駆動される。回転ドラム３内には、図示しないスプレー装置が設置されており、このスプレー装置からコーティング剤やバインダ液等がドラム内の被処理物に対して供給される。
【００１５】
回転ドラム３の外周部には、八角形の各辺部分を区分する仕切板１２が設けられている。仕切板１２はドラム外周部の八角形の頂点部分に配置されており、径方向に向かって放射状に突設されている。この仕切板１２の軸方向両端には、リング状の摺動枠１３がそれぞれ取り付けられている。摺動枠１３は、主胴部４を挟んで対向しており、回転ドラム３の外周にフランジ状に配置されている。これにより、回転ドラム３の外周面の一辺と、仕切板１２及び摺動枠１３とによって、１個の通気空間１４が形成される。
【００１６】
通気空間１４に対しては、外側ケーシング７の図２右上部に配された給気部８から処理気体が供給され、回転ドラム３内に送給される。また、回転ドラム３内の気体は、通気空間１４を介して、外側ケーシング７の図２左下部に配された排気部９から装置外へと排出される。排気部９には、外側ケーシング７内の空間７ａからの気体漏出を抑え、効率の良い排気を行うため、シール板１５が取り付けられている。シール板１５は、ゴムや合成樹脂等にて形成されており、摺動枠１３の外周縁に摺接し、回転ドラム３の外側を覆うように設けられている。このシール板１５により、空間７ａ内の気体が回転ドラム３内に流入し、被処理物の乾燥等に寄与することなく、ドラム経由で排気部９から漏出してしまうのを防止している。
【００１７】
回転ドラム３の図中右端部には駆動シャフト２１が取り付けられている。駆動シャフト２１は、軸受２２によって回転自在に支持されている。駆動シャフト２１にはスプロケット２３が取り付けられており、チェーン２４を介してスプロケット２５に接続されている。スプロケット２５はモータ１１にて駆動され、このモータ１１を作動させることにより、駆動シャフト２１が回転駆動され、回転ドラム３が水平軸線Ｏを中心に回転する。駆動シャフト２１の端部には、ロータリージョイント２７が取り付けられており、ロータリージョイント２７は、ポンプや熱交換器等の装置外に設けられた冷温媒の給排系（図示せず）に接続されている。
【００１８】
コーティング装置１では、図１,２に示すように、回転ドラム３の通気部６に対し、ロータリージョイント２７と流通孔２８及び給排チューブ２９を介して、温調媒体として冷風（冷媒）を供給できるようになっている。なお、冷媒としては、冷水も使用可能である。流通孔２８は、供給孔２８ａと排出孔２８ｂとからなり、駆動シャフト２１中にそれぞれ設けられている。駆動シャフト２１には、供給孔２８ａと排出孔２８ｂの接続口３１ａ,３１ｂが設けられており、各接続口３１ａ,３１ｂには、合成樹脂製の給排チューブ２９（供給チューブ２９ａ，排出チューブ２９ｂ）が取り付けられている。また、駆動シャフト２１には、供給孔２８ａと排出孔２８ｂの開口３２ａ,３２ｂが形成されており、ロータリージョイント２７と接続されている。
【００１９】
図３はロータリージョイント２７の構成を示す断面図、図４はロータリージョイント２７と駆動シャフト２１の接続構造を示す説明図である。図３,４に示すように、ロータリージョイント２７の中央には装着孔３３が形成されており、この装着孔３３には、駆動シャフト２１の端部が回転自在に挿入される。装着孔３３の周壁には、２本の円周溝３４ａ,３４ｂが凹設されている。円周溝３４ａ,３４ｂは、装着孔３３の周壁全周に亘って形成されており、その前後にはパッキン３８ａ,３８ｂが装着され、円周溝３４ａ,３４ｂから冷水が漏れないようになっている。ロータリージョイント２７の図３,４において上面部には、２個の接続孔３５ａ,３５ｂが形成されており、接続孔３５ａ,３５ｂはそれぞれ、ロータリージョイント２７の内部にて円周溝３４ａ,３４ｂと連通している。接続孔３５ａ,３５ｂ内部には、雌ねじが形成されている。接続孔３５ａ,３５ｂには、口金３６ａ,３６ｂが取り付けられている。口金３６ａ,３６ｂには接続チューブ３７ａ,３７ｂが取り付けられており、前述の冷温媒給排系に接続されている。
【００２０】
このようなロータリージョイント２７に対し、駆動シャフト２１の端部２１ａには、円周溝３４ａ,３４ｂに合わせて、開口３２ａ,３２ｂが形成されている。すなわち、ロータリージョイント２７では、駆動シャフト２１をロータリージョイント２７に装着すると、開口３２ａと円周溝３４ａ、開口３２ｂと円周溝３４ｂが対向・連通するようになっている。駆動シャフト２１が回転すると、開口３２ａ,３２ｂもそれに伴って周方向に移動するが、開口３２ａ,３２ｂは、シャフト回転中も常に円周溝３４ａ,３４ｂに対向する。このため、供給孔２８ａと排出孔２８ｂは、常に接続チューブ３７ａ,３７ｂと連通状態で維持され、回転ドラム３の作動中も常時温調媒体の供給・排出を行うことができる。
【００２１】
駆動シャフト２１の接続口３１ａ,３１ｂに取り付けられた給排チューブ２９は、回転ドラム３の通気部６に取り付けられた中空パイプ（温調管）１６に接続されている。図５は、回転ドラム３の構成を示す斜視図、図６は、通気部６の構成を示す説明図である。図５に示すように、回転ドラム３の主胴部４には、全周に亘って中空パイプ１６が配置されている。中空パイプ１６は、ステンレス製の中空丸棒（例えば、φ６，肉厚１mm）にて形成されており、その図６における左右端部は、摺動枠１３に溶接固定されている。図６に示すように、中空パイプ１６は１本のパイプをつづら折りした構成となっており、両端部以外は互いに略平行に配置されている。中空パイプ１６間には、所定寸法の間隙（連通部）Ｇ（例えば、２mm）が設けられており、この中空パイプ１６により、主胴部４の各辺部分には、回転ドラム３の内外を連通させる通気部６が形成される。コーティング装置１では、主胴部４の各面は中空パイプ１６のみによって構成されており、その８面全面が通気部６となっている。
【００２２】
中空パイプ１６の両端部には、摺動枠１３を貫通する形で敷設された供給チューブ２９ａと排出チューブ２９ｂが接続されている。供給チューブ２９ａから中空パイプ１６に供給された冷風は、羊腸状の中空パイプ１６を通って排出チューブ２９ｂから排出される。このように中空パイプ１６に冷風を供給すると、通気部６自体が直接冷却され、コーティング処理中に処理気体によって通気部６が暖められてしまうのを抑えることができる。また、通気部６では、中空パイプ１６が回転ドラム３の内部に露出した状態で配置されており、しかも、間隙Ｇにより処理気体が通気可能な構成となっている。これにより、コーティング装置１では、通気部６によってドラム内外の通気性を確保しつつ、その自己冷却機能により、ドラム温度の上昇を抑えられるようになっている。
【００２３】
次に、コーティング装置１におけるコーティング処理について、糖衣錠の製造を例にとって説明する。ここではまず、回転ドラム３内に被処理物２として乳糖錠などの錠剤（例えば、直径８mm,２００mg／Ｔ）を投入し、モータ１１を駆動して回転ドラム３を回転させる（例えば、８rpm程度）。回転ドラム３の回転に伴い、錠剤は主胴部４や端壁部５に沿って回転方向に持ち上げられて内側に落下し、回転ドラム３内にて転動運動を行う。被処理物２に対しては、回転ドラム３を回転させつつ、スプレー装置から糖衣液（例えば、糖衣錠の処理量が１００Ｌ程度の場合、６０°Ｃ,３４０〜９００ｍＬ／回）を噴霧する。この際、給気部８から適宜温風を送給し（例えば、７０°Ｃ,１２ｍ３／min）、錠剤上に糖衣被膜を固化形成する。給気部８から供給された温風は、回転ドラム３内を通って、排気部９から装置外へと排出される。
【００２４】
一方、コーティング装置１では、コーティング処理中に、中空パイプ１６に冷風を適宜供給し、通気部６を冷却する。中空パイプ１６には、ロータリージョイント２７、流通孔２８及び給排チューブ２９を介して冷風が供給・排出される。すなわち、冷温媒給排系から供給された冷風は、接続チューブ３７ａ→口金３６ａ→接続孔３５ａ→円周溝３４ａと流れて開口３２ａに至り、供給孔２８ａから接続口３１ａを介して供給チューブ２９ａに流れ、中空パイプ１６に流入する。一方、中空パイプ１６にて暖められて排出された冷風は、排出チューブ２９ｂを介して接続口３１ｂに至り、その後、接続口３１ｂ→排出孔２８ｂ→開口３２ｂと流れ、ロータリージョイント２７内に入り、円周溝３４ｂ→接続孔３５ｂ→口金３６ｂ→接続チューブ３７ｂと流れて冷温媒給排系に戻る。
【００２５】
このように、当該コーティング装置１では、通気部６に中空パイプ１６を一定間隔で配したことにより、通気を行いつつ、主胴部４に形成された通気部６を直接冷却することができる。このため、コーティング処理中、回転ドラム３の温度を低く維持し、ドラム内面と被処理物２との間に温度差を生じさせることができるので、ドラム内面、特に付着物が生じ易い通気部６への糖衣液の付着が抑えられる。従って、付着物の剥離によるボッチや突起の発生も抑えられ、通気部にパンチングを用いた従来の装置に比して、大幅に付着物を減らすことができ、不良品の発生率を低減させることが可能となる。
【００２６】
また、ドラム内面の付着物が少ないことから、回転ドラム３の清掃回数や清掃工数、洗浄時間等を減らすことができ、その分、効率良くコーティング処理を実施することが可能となり、工程時間の短縮も図られる。さらに、コーティング装置１では、通気部６に供給する冷風の温度や量を制御することにより、通気部６の温度を適宜調整することができる。このため、処理条件に応じて最適なドラム温度を維持することができ、より効率の良いコーティング処理が実現できる。
【実施例２】
【００２７】
次に、本発明の実施例２であるコーティング装置について説明する。実施例１では、通気部６に羊腸状の中空パイプ１６を配した構成を示したが、中空パイプ１６を複数本並設したユニットを形成し、それを主胴部４に取り付けるようにしても良い。図７は、実施例２であるコーティング装置４１の構成を示す要部断面図、図８は、図７のコーティング装置４１にて使用されるパネルユニット４２の構成を示す斜視図である。なお、以下の実施例では、実施例１と同様の部材、部分については同一の符号を付し、その説明は省略する。
【００２８】
パネルユニット４２では、実施例１の中空パイプ１６と同様の中空パイプ（温調管）４３が複数本並行に配列されており、隣接する中空パイプ４３の間には、所定寸法の間隙（連通部）Ｇが設けられている。中空パイプ４３の両端には、ステンレス製の角パイプ（例えば、２５mm角）にて形成された、給排集約パイプ４４ａ,４４ｂが溶接固定されている。給排集約パイプ４４ａには供給口４５ａが２個、給排集約パイプ４４ｂには排出口４５ｂが２個それぞれ溶接固定されている。実施例２のコーティング装置４１では、供給口４５ａには供給チューブ２９ａが、排出口４５ｂには排出チューブ２９ｂがそれぞれ接続されており、コーティング処理中には、常時又は適宜、中空パイプ４３に温調媒体（当該実施例では冷風）が供給される。なお、供給チューブ２９ａには、図７に示すように冷却装置４６が取り付けられており、パネルユニット４２に温度の低い冷風を効率良く供給できるようになっている。
【００２９】
このようなコーティング装置４１においても、コーティング処理中に、中空パイプ４３に冷風を適宜供給し通気部６を冷却する。これにより、通気を行いつつ、主胴部４に形成された通気部６を直接冷却することができる。このため、コーティング処理中、回転ドラム３の温度を低く維持することができ、ドラム内面、特に付着物が生じ易い通気部６への糖衣液の付着が抑えられる。
【００３０】
本発明は前記実施例に限定されるものではなく、その要旨を逸脱しない範囲で種々変更可能であることは言うまでもない。
例えば、前述の実施例では、糖衣コーティング処理を例にとって、中空パイプ１６,４３に冷風（あるいは冷水）を供給する処理方式について説明したが、コーティング処理の形態は糖衣コーティング処理には限定されず、種々の処理形態が採用可能である。例えば、チョコレートコーティング処理等にも本発明は適用可能であり、その場合には、温調媒体として、温風や温水などの加熱液（温媒）を中空パイプ１６,４３に供給する。
【００３１】
すなわち、チョコレートコーティングの場合には、中空パイプ１６,４３を加温手段として使用し、ドラム内面、特に通気部６を直接加温する。これにより、コーティング処理中、ドラム内面と被処理物２との間に温度差が生じ、ドラム内面（特に通気部６）へのチョコレートの付着が抑えられる。従って、付着物の剥離による不良品発生が抑えられ、回転ドラム３の清掃回数や清掃工数、洗浄時間等も削減でき、その分、効率良くコーティング処理を実施することが可能となり、工程時間の短縮も図られる。なお、本発明は、油脂コーティング（ワックス）処理等の油脂類処理にも適用可能であり、油脂コーティング処理の徐放目的にも使用可能である。
【００３２】
また、前述の実施例における各種寸法や中空パイプ１６,４３の本数、配置方向（ドラム水平軸方向のみならず、回転方向でも良い）、各部材の材質等や、温度・時間・量等の処理条件はあくまでも例示であり、本発明は前述の数値には限定されない。さらに、回転ドラム３は、断面形状が多角形のものには限定されず、円形断面の回転ドラムを用いたコーティング装置にも本発明は適用可能である。なお、回転ドラム３を円形断面とした場合には、中空パイプ１６,４３は、ドラム水平軸方向に延びる形で配置する。
【００３３】
加えて、前述の実施例では、回転ドラム３が水平軸線を中心に回転する水平回転ドラム型のコーティング装置について説明したが、コーティング装置は前述の形態には限られず、回転軸線が接地面と傾斜した傾斜回転ドラムを有するタイプであっても良い。また、被処理物も前述の乳糖錠等の錠剤には限られず、菓子やガム等の食品や他の医薬品なども適用可能である。糖衣液も糖を水に溶解したシロップ以外に、それに各種薬効成分や風味、色素等を添加したものなど、種々の仕様の糖衣液が適用可能である。
【００３４】
一方、前述の実施例１では、回転ドラム３を箱状の外側ケーシング７内に収容した例を示したが、図９のように、外側ケーシングとして、回転ドラム３の断面形状に沿う円弧状に形成したもの（外側ケーシング５１）を用いても良い。また、前述の実施例では、本発明をジャケットレス構造のコーティング装置に適用した例を示したが、図１０に示すように、回転ドラム３の外側にジャケット５２を配したジャケット付構造のコーティング装置に本発明を適用することも可能である。
【図面の簡単な説明】
【００３５】
【図１】本発明の実施例１であるコーティング装置を側面方向から見た場合の構成を示す説明図である。
【図２】図１のコーティング装置を背面方向から見た場合の構成を示す説明図である。
【図３】ロータリージョイントの構成を示す断面図である。
【図４】ロータリージョイントと駆動シャフトの接続構造を示す説明図である。
【図５】回転ドラムの構成を示す斜視図である。
【図６】通気部の構成を示す説明図である。
【図７】本発明の実施例２であるコーティング装置の構成を示す要部断面図である。
【図８】図７のコーティング装置にて使用されるパネルユニットの構成を示す斜視図である。
【図９】ジャケットレス構造のコーティング装置に本発明を適用した構成の変形例である。
【図１０】ジャケット付構造のコーティング装置において回転ドラムの主胴部の各面を中空パイプにて形成した構成を示す説明図である。
【図１１】従来のコーティング装置の構成を示す説明図である。
【符号の説明】
【００３６】
１    コーティング装置
２    被処理物
３    回転ドラム（処理容器）
４    主胴部
５    端壁部
６    通気部
７    外側ケーシング
７ａ  内部空間
８    給気部
９    排気部
１１    モータ
１２    仕切板
１３    摺動枠
１４    通気空間
１５    シール板
１６    中空パイプ（温調管）
２１    駆動シャフト
２１ａ  端部
２２    軸受
２３    スプロケット
２４    チェーン
２５    スプロケット
２７    ロータリージョイント
２８    流通孔
２８ａ  供給孔
２８ｂ  排出孔
２９    給排チューブ
２９ａ  供給チューブ
２９ｂ  排出チューブ
３１ａ,３１ｂ    接続口
３２ａ,３２ｂ    開口
３３    装着孔
３４ａ,３４ｂ    円周溝
３５ａ,３５ｂ    接続孔
３６ａ,３６ｂ    口金
３７ａ,３７ｂ    接続チューブ
３８ａ,３８ｂ    パッキン
４１    コーティング装置
４２    パネルユニット
４３    中空パイプ（温調管）
４４ａ,４４ｂ    給排集約パイプ
４５ａ  供給口
４５ｂ  排出口
４６    冷却装置
５１    外側ケーシング
５２    ジャケット
100     コーティング装置
101     回転ドラム
102     外側ケーシング
103     給排気ダクト
104     給排気ダクト
105     主胴部
106     通気部
Ｇ      間隙（連通部）
Ｏ      水平軸線
【図１】
2008253910.tif 000003
【図２】
2008253910.tif 000004
【図３】
2008253910.tif 000005
【図４】
2008253910.tif 000006
【図５】
2008253910.tif 000007
【図６】
2008253910.tif 000008
【図７】
2008253910.tif 000009
【図８】
2008253910.tif 000010
【図９】
2008253910.tif 000011
【図１０】
2008253910.tif 000012
【図１１】
2008253910.tif 000013